(57)【要約】      （修正有）【課題】吸収性本体に取り付けられた袋体が，吸収性本体の廃棄時だけでなく，吸収性本体の着用時においても，その漏防性やクッション性を高めるように機能する吸収性物品を提供する。【解決手段】吸収性物品１００は，吸収性本体１０と，袋体２０とを備える。この袋体２０は，吸収性本体１０の肌非対向面側に取り付けられ，裏返すことにより形成される内部空間に，吸収性本体１０を収納可能となっている。そして，この袋体２０は，吸収性本体１０の肌非対向面側であって，吸収性本体１０の長さ方向の中央を含む位置の上に，取り付けられている。【選択図】図１
2014151128.tif 000002
【特許請求の範囲】
【請求項１】
吸収性本体（１０）と，
前記吸収性本体（１０）の肌非対向面側に取り付けられた袋体（２０）と，を備え，
前記袋体（１０）は，
前記袋体（１０）を裏返すことにより形成される内部空間に，前記吸収性本体（１０）を収納可能であり，
前記吸収性本体（１０）の肌非対向面側であって，前記吸収性本体（１０）の長さ方向の中央を含む位置の上に，取り付けられている
吸収性物品。
【請求項２】
前記吸収性本体（１０）は，
肌対向面側に設けられた液透過性のトップシート（１１）と，
肌非対向面側に設けられた液不透過性のバックシート（１２）と
前記トップシート（１１）と前記バックシート（１２）の間に介在する吸収体（１３）と，を有し，
前記袋体（２０）は，
前記バックシート（１２）に接合される接合面（２１）と，
前記接合面（２１）に対向する自由面（２２）と，
前記接合面（２１）と前記自由面（２２）の幅方向の左右両端を連結する側面（２３）と，を有し，
前記接合面（２１）と前記自由面（２２）の長さ方向の一端側が綴じられており，長さ方向の他端側に開口部（２４）が形成されている
請求項１に記載の吸収性物品。
【請求項３】
前記袋体（２０）は，
前記開口部（２４）となる前記接合面（２１）と前記自由面（２２）の長さ方向の他端側が開封可能に接着されて袋綴じ部（３０）が形成されている
請求項２に記載の吸収性物品。
【請求項４】
前記袋体（２０）は，
前記袋綴じ部（３０）が形成された状態の密閉空間内に，ティシュペーパー又はウェットティッシュペーパーが，一枚又は複数枚封入されている
請求項３に記載の吸収性物品。
【請求項５】
前記袋体（２０）は，液不透過性材料により形成されている
請求項１から請求項４のいずれかに記載の吸収性物品。
【発明の詳細な説明】
【技術分野】
【０００１】
本発明は，袋体を備えた吸収性物品に関する。具体的に説明すると，本発明の吸収性物品は，吸収性本体の肌非対向面側に開口部を持つ袋体が取り付けられており，例えば，着用者が排泄を行った後に吸収性物品を廃棄する際や，吸収性物品を個別で持ち運ぶ際に，この袋体を裏返して，その内部に吸収性本体を収納することができるようになっている。
【背景技術】
【０００２】
従来から，尿取りパッド，吸収パッド，使い捨ておむつ，又は生理用ナプキンなどのように，体液を吸収保持することを目的とした吸収性物品が知られている。一般的な吸収性物品は，液透過性のトップシートと液不透過性のバックシートとの間に吸収体を配置して構成されている。このような吸収性物品は，排泄された体液を吸収して保持するものであるため，その使用後には，畳まれたり丸められたりして廃棄される。例えば，パンツ型の使い捨ておむつ等は，一般的に，後身頃の外表面に廃棄用テープが取り付けられている。使用者は，パンツ型の使い捨ておむつを廃棄するにあたり，廃棄用テープを利用して，おむつを丸めた状態を保持し，ゴミ箱等に捨てることとなる。
【０００３】
また，吸収性物品の廃棄処理を衛生的に行うための工夫として，使用済みの吸収性物品を丸め込んで収納するためのスペースを，吸収性物品自体に設けることも知られている（例えば特許文献１）。例えば，特許文献１に記載の使い捨ておむつは，着用者の背中側に対応する後身頃と腹側に対応する前身頃のうち，吸収体が存在しない領域の肌対向面側に，補助シートを備える。特許文献１の使い捨ておむつは，後身頃に取り付けられた補助シートを利用して，おむつの肌対向面側に開口部を持つ収納スペースを形成している。そして，使い捨ておむつを廃棄する際には，このおむつを収納スペースが存在する領域まで丸め込んで，収納スペース内に収納することにより衛生的な廃棄処理を行うことができるようになっている。
【先行技術文献】
【特許文献】
【０００４】
【特許文献１】特開２００５−４６２２７号公報
【発明の概要】
【発明が解決しようとする課題】
【０００５】
しかしながら，上記特許文献１に記載の発明のように，前身頃と後身頃とこれらの間に位置する股下域とに区分される使い捨ておむつのうち，この前身頃や後身頃を形成する領域に補助シートを取り付けて，おむつを収納可能なスペースを形成したとしても，このような補助シートは，おむつの廃棄時にしか役立つものでしかなかった。すなわち，使い捨ておむつのような吸収性物品は，その使用時において，着用者の排泄物を吸収し，それが外部へと漏れ出さないようにすることを主たる機能とするものであることから，吸収性物品を製造するにあたっては，その防漏性やクッション性を高めるための技術にコストを掛けるべきである。他方，吸収性物品の廃棄時に発揮される機能のように，その使用中に発揮される機能以外の機能を向上させるための要素については，本来であれば，なるべくコストダウンを図るべきとの要請がある。この点，特許文献１に記載の使い捨ておむつは，後身頃に取り付けた補助シートによって，使用済みのおむつを収納可能なスペースを形成し，より衛生的な廃棄処理を行うことができるようになっているものの，この補助シートには，おむつの漏防性やクッション性を高める等の機能がなく，おむつの使用中に役立つ機能を有していないことから，製造コストが割高になるという不具合があった。このため，特許文献１のような補助シートを持つ使い捨ておむつを実際に製造して販売することは困難であるとされていた。
【０００６】
従って，現在では，使用後の廃棄処理を衛生的に行うことができるように，本体部分を丸め込んで収納することが可能な空間を形成するための構成を持つ吸収性物品であって，その構成が，吸収性物品の廃棄時だけでなく，吸収性物品の着用時においても，その漏防性やクッション性を高めるように機能する技術が求められているといえる。
【課題を解決するための手段】
【０００７】
そこで，本発明の発明者は，上記の従来発明の問題点を解決する手段について鋭意検討した結果，吸収性本体を収納可能な袋体を，吸収性本体の肌非対向面側であって，その長さ方向の中央を含む位置の上に取り付けることにより，この袋体が，使用後の吸収性本体を衛生的に廃棄するときに役立つだけでなく，吸収性本体の使用中においても，その股下域における漏防性やクッション性を高めるように機能するという知見を得た。そして，本発明者は，上記知見に基づけば，従来技術の課題を解決できることに想到し，本発明を完成させた。
具体的に説明すると，本発明は以下の構成を有する。
【０００８】
本発明は，袋体を備える吸収性物品に関する。
本発明の吸収性物品は，吸収性本体１０と，袋体２０とを備える。この袋体２０は，吸収性本体１０の肌非対向面側に取り付けられ，裏返すことにより形成される内部空間に，吸収性本体１０を収納可能となっている。
さらに，この袋体２０は，吸収性本体１０の肌非対向面側であって，吸収性本体１０の長さ方向の中央を含む位置の上に，取り付けられている。
【０００９】
上記構成のように，前身頃と後身頃と股下域に区分される吸収性本体１０のうち，この股下域の肌非対向面側に，使用後の吸収性本体１０を収納可能な袋体２０を取り付けることにより，この袋体２０が，吸収性物品の使用中においても，尿漏れを防ぐ漏防シートとして機能したり，吸収性物品の着用感を向上させるためのクッション部材として機能する。このように，本発明においては，袋体２０を，吸収性物品の主たる機能を向上させる要素としても利用することができるため，吸収性物品の製造コストが割高になる事態を回避できる。
【００１０】
本発明の吸収性物品において，吸収性本体１０は，トップシート１１と，バックシート１２と，吸収体１３とを有することが好ましい。
トップシート１１は，肌対向面側に設けられた液透過性のシート部材である。バックシート１２は，肌非対向面側に設けられた液不透過性のシート部材である。吸収体１３は，トップシート１１とバックシート１２の間に介在する液吸収性部材である。
また，本発明の吸収性物品において，袋体２０は，接合面２１と，自由面２２と，側面２３とを有することが好ましい。
接合面２１は，バックシート１２に接合される面である。自由面２２は，接合面２１に対向する面である。側面２３は，接合面２１と自由面２２の幅方向の左右両端を連結する面である。また，袋体２０は，接合面２１と自由面２２の長さ方向の一端側が綴じられており，長さ方向の他端側に開口部２４が形成されている。これにより，接合面２１と，自由面２２と，側面２３とによって，吸収性本体１０を収納するための空間が形成される。
【００１１】
上記構成によれば，吸収性物品の股下域において，吸収体１３よりも肌非体対向面側に，バックシート１２，袋体２０の接合面２１，及び袋体２０の自由面２２の少なくとも３層のシート部材が重なるようになる。吸収性物品の股下域は，最も尿漏れが発生し易く，また最もクッション性が必要とされる部分であるが，上記構成のように，吸収性物品の股下域に袋体２０を取り付けて，シート部材を３層以上に重ねることにより，吸収性物品の着用時において，尿漏れを効果的に防止すると共に，そのクッション性を高めることができる。
【００１２】
本発明の吸収性物品において，袋体２０は，開口部２４となる接合面２１と自由面２２の長さ方向の端部が開封可能に接着されて袋綴じ部３０が形成されていることが好ましい。
【００１３】
上記構成のように，袋綴じ部３０によって袋体２０の開口部２４を予め綴じておくことにより，袋体２０の自由面２２が，吸収性物品の使用時にヒラヒラしたり，シワやヨレが発生することを防止できる。なお，吸収性物品の使用後には，袋綴じ部３０を開封して，袋体２０に開口部２４を形成し，通常どおり，吸収性本体１０を袋体２０の内部に収納可能である。また，袋体２０に袋綴じ部３０を形成し，その内部空間を密閉しておくことにより，例えば，何らかの理由により，股下域において，吸収性本体１０のバックシート１２と袋体２０の接合面２１が破れたとしても，吸収体１３に保持されている尿や便は，袋体２０の密閉空間内に溜まるようになり，これらの排泄物が吸収性物品の外部へと漏れ出す事態を防止できる。
【００１４】
本発明の吸収性物品において，袋体２０は，袋綴じ部３０が形成された状態の密閉空間内に，ティシュペーパー又はウェットティッシュペーパーが，一枚又は複数枚封入されていることが好ましい。
【００１５】
上記構成のように，袋体２０に袋綴じ部３０を形成して密封する場合において，その密閉空間にティシュペーパー又はウェットティッシュペーパーを予め封入しておくことで，吸収性物品の廃棄時するときには，袋体２０内に封入されたウェットティシュペーパー等を取り出して，着用者の身体を拭いたり，交換者の手指を拭いたりすることができるため，便利である。また，袋体２０内にウェトティッシュペーパーを封入した場合でも，袋綴じ部３０によってその内部を密閉しておくことで，ウェットティシュペーパーが乾燥することを防止できる。また，袋体２０にティシュペーパー等を封入しておけば，このようなティシュペーパー等がクッション部材として機能するため，吸収性物品の股下域におけるクッション性が向上する。さらに，上記のように，何らかの理由により，股下域において，吸収性本体１０のバックシート１２と袋体２０の接合面２１が破れたとしても，袋体２０にティシュペーパー等を封入しておけば，このティシュペーパー等が，防漏部材として機能するため，尿などの排泄物が外部へ漏れ出すことを防止できる。
【００１６】
本発明の吸収性物品において，袋体２０は，液不透過性材料により形成されていることが好ましい。
【００１７】
上記構成のように，袋体２０をポリエチレンやポリプロピレンのような液吸収性材料で形成することにより，袋体２０による漏れ防止効果が高まる。
【発明の効果】
【００１８】
上記の通り，本発明によれば，使用後の廃棄処理を衛生的に行うことができるように吸収性本体を丸め込んで収納するための袋体を，吸収性物品の廃棄時だけでなく，吸収性物品の着用時においても，その漏防性やクッション性を高める部材として活用することができる。
【図面の簡単な説明】
【００１９】
【図１】図１は，本発明の吸収性物品の例を示す斜視図であり，吸収性物品を肌非対向面側からみた状態を示している。
【図２】図２は，本発明の吸収性物品の例を示す平面図であり，吸収性物品を肌対向面側からみた状態（ａ）と，吸収性物品を肌非対向面側からみた状態（ｂ）を並べて示している。
【図３】図３は，図２のＡ−Ａ線における吸収性物品の断面形状の例を示す断面図である。
【図４】図４は，本発明の吸収性物品の例を示す斜視図であり，吸収性本体が袋体の内部空間に収納された状態を示している。
【図５】図５は，本発明の他の実施形態に係る吸収性物品を示す斜視図である。図５（ａ）は，袋体の開口部が袋綴じ部によって綴じられている状態を示し，図５（ｂ）は，袋体の開封された状態を示している。
【発明を実施するための形態】
【００２０】
以下，図面を用いて本発明を実施するための形態について説明する。本発明は，以下に説明する形態に限定されるものではなく，以下の形態から当業者が自明な範囲で適宜修正したものも含む。
なお，本願明細書において，「肌対向面」というときは，着用時において着用者の肌に対向する面を意味し，「肌非対向面」というときは，着用時において着用者の肌に対向しない面を意味する。
また，本願明細書において，「長さ方向」というときは，吸収性本体の前身頃と後身頃を結ぶ方向（図２の上下方向）を意味し，「幅方向」というときは，前記「長さ方向」と平面的に直交する方向（図２の左右方向）を意味する。
また，本願明細書において，「Ａ〜Ｂ」とは，「Ａ以上Ｂ以下」であることを意味している。
【００２１】
図１は，第１の実施形態に係る吸収性物品を，肌非対向面側からみた状態を示す概念斜視図である。図１に示されるように，吸収性物品１００は，吸収性本体１０と，袋体２０とを備える。図１の斜視図において，点線ＣＬは，吸収性本体１０の長さ方向の中心を通る中心線である。すなわち，中心線ＣＬは，吸収性本体１０の長さ方向の一端縁までの距離と，吸収性本体１０の長さ方向の他端縁までの距離が等しい位置を通って，吸収性本体１０の幅方向に延びる線である。そして，図１に示されるように，袋体２０は，吸収性本体１０の肌非対向面であって，この吸収性本体１０の長さ方向の中央を示す中心線ＣＬの上に，取り付けられている。
【００２２】
本実施形態において，袋体２０は，吸収性本体１０の肌非対向面に接合される接合面２１と，接合面２１に対面する自由面２２と，接合面２１と自由面２２の幅方向の左右両端を連結する側面２３とを有している。本実施形態において，接合面２１は，略矩形状に形成されている。矩形状の接合面２１は，幅方向の両側縁近傍と，長さ方向の一端縁近傍が，略コの字状に形成された接合部２５において，吸収性本体１０の肌非対向面に接合されている。コの字状の接合部２５には，例えばホットメルト接着剤のような流動性のある接着剤と塗布して吸収性本体１０と袋体２０を接着することとしてもよいし，熱可塑性樹脂からなる袋体２０を接合部２５においてヒートシール又は超音波シール等により吸収性本体１０に融着させることとしてもよい。また，自由面２２は，その全体が吸収性本体１０に固定されているものではなく，自由に動かすことができるようになっている。ただし，図１に示されるように，袋体２０の自由面２２は，長さ方向の一端縁近傍が，接合部２５において，接合面２１と共に吸収性本体１０に接合されており，綴じられた状態となっている。これにより，接合面２１，自由面２２，及び側面２３によって，袋状の空間が形成される。他方，本実施形態において，自由面２２の長さ方向他端側には，接合部２５は設けられておらず，開放された状態となっている。これにより，自由面２２の長さ方向他端側が，袋体２０の開口部２４となる。
【００２３】
また，上述したように，本発明において袋体２０の接合面２１は，少なくとも，吸収性本体１０の肌非対向面であって，その長さ方向の中央の上に取り付けられたものであればよい。また，吸収性本体１０を長さ方向の長さが等しくなるように３分割し，着用者の腹部に対応する側の領域を前身頃１０Ａとし，着用者の背部に対応する側の領域を後身頃１０Ｂとし，この前身頃と後身頃の間に位置する領域を股下域１０Ｃとした場合に，袋体２０は，股下域１０Ｃを含み，前身頃１０Ａ及び後身頃Ｂにかかる領域に取り付けられていることが好ましい。例えば，袋体２０における接合面２１の長さ方向の長さは，吸収性本体１０の長さ方向の長さを１００％とした場合に，３５％〜９０％であることが好ましく，４０％〜６０％とすることとが特に好ましい。ただし，袋体２０は，吸収性本体１０の股下域１０Ｃ内にのみ取り付けることもできる。
【００２４】
また，図１に示されるように，袋体２０における接合面２１の幅方向の長さは，吸収性本体１０の幅方向の長さと略一致していることが好ましい。具体的に説明すると，袋体２０における接合面２１の幅方向の長さは，吸収性本体１０の幅方向の長さを１００％とした場合に，８０％〜１００％，又は８５％〜９５％であることが好ましい。
【００２５】
袋体２０を形成する材料としては，公知の液不透過性材料を採用することができる。液不透過性材料とは，例えば，標準の大気圧下において，常温の水を５ｍｌその上に載せた場合に，１分以上経過してもその水を透過しない材料を意味する。例えば，袋体２０として，ポリエチレンやポリプロピレンのような熱可塑性樹脂によって形成されたものを用いることが好ましい。
【００２６】
図２は，吸収性物品の平面図である。図２（ａ）は，吸収性物品の肌対向面側を描画しており，図２（ｂ）は，吸収性物品の肌非対向面側を描画している。また，図３は，図２におけるＡ−Ａ線の断面図である。ここでは，図２及び図３を参照して，吸収性本体１０の各部構成について説明する。
【００２７】
本実施形態において，吸収性本体１０は，いわゆる尿取りパッドの構成を有するものを例に挙げて説明する。ただし，吸収性本体１０の構成は，以下に説明するものに限定されず，公知の吸収性物品に用いられる構成を適宜採用できる。例えば，吸収性本体１０は，尿とりパッドだけでなく，例えばパンツ型の使い捨ておむつや，テープ型の使い捨ておむつ，吸収パッド，生理用ナプキンのように，体液等を吸収保持することを目的として着用者に装着される物品の構成を適用採用可能である。
【００２８】
図２及び図３に示されるように，吸収性本体１０は，トップシート１１と，バックシート１２と，吸収体１３と，レッグギャザー伸縮部材１４と，一対のサイドシート１５と，立体ギャザー伸縮部材１６を備える。
【００２９】
トップシート１１は，着用者の股下部の肌に直接接し，尿などの液体を吸収体１３に透過させるための部材である。このため，トップシート１１は，柔軟性が高い液透過性材料で構成される。また，トップシート１１は，吸収体１３の肌対向面側を被覆するように配置される。液透過性材料とは，例えば，標準の大気圧下において，常温の水を５ｍｌその上に載せた場合に，１分未満の時間で水を透過する材料を意味する。トップシート１１を構成する液透過性材料の例は，織布，不織布，又は多孔性フィルムである。また，例えばポリプロピレンやポリエチレン，ポリエステル，ナイロンのような熱可塑性樹脂の繊維を親水化処理してさらに不織布にしたものを用いることとしてもよい。
【００３０】
バックシート１２は，トップシート１１を透過し吸収体１３に吸収された液体が，外部に漏出することを防止するための部材である。このため，バックシート１２は，液不透過性材料によって構成される。そして，バックシート１２は，吸収体１３からの液漏れを防止するため，吸収体１３の肌非対向面側を被覆するように配置される。バックシート１２を構成する液不透過材料の例は，ポリエチレン樹脂からなる液不透過性のフィルムである。特に，０．１〜４μｍの微細な孔が複数形成された微多孔性ポリエチレンフィルムを用いることが好ましい。また，図３の断面図に示されるように，本実施形態において，バックシート１２の肌非対向面には，袋体２０の接合面２１が接合される。このため，吸収体１３の肌非対向面側には，少なくとも，バックシート１２，袋体２０の接合面２１，及び袋体２０の自由面２２の３層の液不透過性シートが重なり合うことになる。これにより，吸収性本体１０の股下域における防漏性が高まる。なお，図示は省略するが，バックシート１２の肌非対向面には，バックシート１２の手触りを良くすることを目的として，不織布等で形成されたカバーシートをさらに貼り合わせることとしてもよい。
【００３１】
また，図３に示されるように，本実施形態において，バックシート１２は，吸収体１３の底面全体を被覆しつつ，幅方向において吸収体１３の左右外側に延出する長さを持つ。また，バックシート１２幅方向の長さは，トップシート１１の幅方向の長さよりも長く形成されている。そして，このバックシート１２のうち，吸収体１３の左右外側に延出した部分が，吸収体１３の肌対向面側に折り返されている。
【００３２】
吸収体１３は，尿などの液体を吸収し，吸収した液体を保持するための部材である。吸収体１３は，液透過性のトップシート１１と，液不透過性のバックシート１２の間に配置される。吸収体１３は，尿などの液体を吸収する機能を有する吸収性材料により構成される。吸収体１３を構成する吸収性材料には，公知の材料を採用できる。吸収性材料としては，例えば，粉砕パルプ（フラッフパルプ），高吸収性ポリマー，又は親水性シートのうち１種類を単独で用いてもよいし，２種類以上を併用することとしてもよい。吸収性材料は，通常，単層又は複数層のマット状に形成されて用いられる。
【００３３】
レッグギャザー伸縮部材１４は，吸収体１３の幅方向の左右両側に配置され，着用者の脚部周りに相当する位置にレッグギャザーを形成するための部材である。本実施形態において，レッグギャザー伸縮部材１４は，バックシート１２のうち，吸収体１３の左右外側に延出した部分に伸長状態で固定されている。レッグギャザー伸縮部材１４が収縮することにより，バックシート１２が撓んで，レッグギャザーを形成する。
【００３４】
また，吸収体１３の左右両側部に配置された一対のサイドシート１５と，サイドシート１５の先端近傍に伸長状態で接合された立体ギャザー伸縮部材１６によって，立体ギャザーが形成される。サイドシート１５は，前身頃側及び後身頃側の両端部が，トップシート１１の肌対向面側に接合されている。また，サイドシート１５は，股下域を含む長さ方向の中央部に，トップシート１１に接合されない自由端を有している。また，一対のサイドシート１５は，自由端において，吸収体１３の幅方向内側又は短手方向外側に折り返され，その折り返した部分に，一又は複数の伸長状態の立体ギャザー伸縮部材１６が伸長状態で挟持固定される。このため，立体ギャザー伸縮部材１６が収縮することにより，一対のサイドシート１５は，吸収体１３の両側縁部に沿って起立し，着用者が排泄した尿の横漏れを防止するため立体ギャザーとして機能する。一対のサイドシート１５を構成する材料としては，撥水性を有するシート材料を用いることが好ましい。サイドシート１５の材料の例としては，撥水性が高くかつ通気性が良いという観点から，スパンボンドやカードエンボスのような不織布を用いることが好ましい。
【００３５】
また，上記したレッグギャザー伸縮部材１４と立体ギャザー伸縮部材１６には，公知の弾性伸縮部材を用いることができる。例えば，各弾性伸縮部材には，糸状弾性ゴム又は平状弾性ゴムを適用することができる。このようなゴム部材としては，スチレン系ゴム，オレフィン系ゴム，ウレタン系ゴム，エステル系ゴム，ポリウレタン，ポリエチレン，ポリスチレン，スチレンブタジエン，シリコーン，又はポリエステル等の素材を用いることができる。
【００３６】
続いて，図４は，吸収性本体１０が袋体２０の内部に収納された状態の例を示している
図４に示されるように，吸収性本体１０を収納するためには，その肌非対向面側に取り付けられた袋体２０を裏返しつつ，吸収性本体１０を巻き込むようにして，袋体２０を裏返すことにより形成される内部空間内に，吸収性本体１０を折り込んでいく。袋体２０の内部空間は，その接合面２１，自由面２２，及び側面２３により画定される。吸収性本体１０が袋体２０の内部空間からはみ出さないように，その内部に収納された後，袋体２０の接合面２１と自由面２２とを，粘着テープ２６等によって接着することが好ましい。この粘着テープ２６は，予め袋体２０の接合面２１や自由面２２に取り付けられているものであってもよいし，別途設けられているものを利用してもよい。粘着テープ２６等を取り付けて，袋体２０の内部空間を閉じることにより，吸収性本体１０を袋体２０内に収納できる。袋体２０内に吸収性本体１０を収納する形態は，様々なシーンで用いることができる。例えば，着用者の排泄物を吸収した吸収性本体１０を廃棄する際に，袋体２０内に収納すればよい。また，例えば，使用前の吸収性本体１０を個別に搬送する際に，袋体２０内に収納することもできる。
【００３７】
また，図４に示されるように，袋体２０の内表面と外表面は異なる色であることが好ましい。「色が異なる」とは，明るさ，色相，又は彩度のうち，少なくともいずれか一つが異なることを意味する。また，単に色相が異なる色ばかりでなく，同じ色相であっても，彩度又は明度が，意図的に異なるものとされた色は，「異なる色」とする。このように，袋体２０の内表面の色と外表面の色が互いに異なることにより，袋体２０の表裏を見分けやすくなり，吸収性本体１０を袋体２０の内部に収納する際に便利である。
【００３８】
次に，図５を参照して，本発明に係る吸収性物品の第２の実施形態について説明する。図５に示した第２の実施形態について，上述した第１の実施形態と同一の構成要素については同一の符号を示すことによりその説明を割愛し，上述した第１の実施形態と異なる点を中心に説明を行う。
【００３９】
図５（ａ）は，第２の実施形態に係る吸収性物品１００を，肌非対向面側から見た状態を示す斜視図である。図５（ａ）では，特に，袋体２０の接合面２１と自由面２２が予め開封可能に接着されて，開口部２４が綴じられた状態を示している。すなわち，袋体２０に開口部２４が形成されるべき位置において，その接合面２１と自由面２２とが開封可能に接着されて袋綴じ部３０が形成されている。袋綴じ部３０においては，公知の装置を用いて，袋体２０の接合面２１と自由面２２とを剥離可能に接着すればよい。例えば，ヒートシール装置や超音波シール装置を利用して，袋体２０の開口部２４の近縁にシール加工を施すこととしてもよいし，袋体２０の開口部２４の近縁に接着剤を塗布してこの開口部２４を封緘することとしてもよい。図５（ａ）に示されるように，袋体２０の開口部２４が袋綴じ部３０によって綴じられていることにより，袋体２０の内部は密閉空間となる。なお，密閉空間とは，袋体２０の内部が接合面２１，自由面２２，及び側面２３により完全に取り囲まれ，その結果，液体及び空気がその内部を通過しない状態となった空間である。
【００４０】
図５（ｂ）は，図５（ａ）に示された袋綴じ部３０において袋体２０を開封し，袋体２０に開口部２４を形成した状態を示している。図５（ｂ）に示されるように，袋綴じ部３０を破断させることにより，袋体２０の接合面２１と自由面２２の接着状態が解除されて，その開封された部分が開口部２４となる。
【００４１】
また，図５（ｂ）に示されるように，袋体２０の密閉空間内には，ティシュペーパーやウェットティシュペーパーのような衛生用紙３１を封入しておくこととしてもよい。ティシュペーパーやウェットティシュペーパーのような衛生用紙３１としては，市販されている公知のものを用いればよい。また，袋体２０内に封入される衛生用紙３１は，一枚であってもよいし，複数枚であってもよい。このように，袋体２０に袋綴じ部３０を形成して密封する場合において，その密閉空間に衛生用紙３１を予め封入しておくことで，吸収性物品の廃棄時するときには，袋体２０内に封入された衛生用紙３１を取り出して，着用者の身体を拭いたり，交換者の手指を拭いたりすることができるため，便利である。また，袋体２０内に，例えば水分を含むウェトティッシュペーパーを封入した場合でも，袋綴じ部３０によってその内部を密閉しておくことで，ウェットティシュペーパーが乾燥することを防止できる。また，袋体２０にティシュペーパー等を封入しておけば，このようなティシュペーパー等がクッション部材として機能するため，吸収性物品の股下域におけるクッション性が向上する。
【００４２】
以上，本願明細書では，本発明の内容を表現するために，図面を参照しながら本発明の好ましい実施形態を説明した。ただし，本発明は，上記実施形態に限定されるものではなく，本願明細書に記載された事項に基づいて当業者が自明な変更形態や改良形態を包含するものである。
【産業上の利用可能性】
【００４３】
本発明は，尿取りパッド，吸収パッド，使い捨ておむつ，又は生理用ナプキンなどのように，体液を吸収保持することを目的とした吸収性物品に関する。従って，本発明はこれら吸収性物品の製造業において好適に利用し得る。
【符号の説明】
【００４４】
１０…吸収性本体
１１…トップシート
１２…バックシート
１３…吸収体
１４…レッグギャザー伸縮部材
１５…サイドシート
１６…立体ギャザー伸縮部材
２０…袋体
２１…接合面
２２…自由面
２３…側面
２４…開口部
２５…接合部
２６…粘着テープ
３０…袋綴じ部
３１…衛生用紙
１００…吸収性物品
【図１】
2014151128.tif 000003
【図２】
2014151128.tif 000004
【図３】
2014151128.tif 000005
【図４】
2014151128.tif 000006
【図５】
2014151128.tif 000007